(57)【要約】【課題】軽量のまま強度が高められたプラスチック製パレットを提供すること。【解決手段】互いに間をあけて上下に平行に対面しているデッキ板（３）と支持板（２）とを備えて扁平状に形成された中空パレット（１）において、前記支持板の下面には、互いに離間して該支持板の下面と交差する複数の支持部（２２）がそれぞれ下方に突出すると共に、各前記支持部の上面において前記突起に対応している窪みを有するように形成されており、前記デッキ板の各前記支持部と上下に対応している部分には、複数の第１の支持柱（４）が、それぞれ前記デッキ板の下面から対応している支持部の窪みの上面に当接するまで突出すると共に、前記デッキ板の上面において前記突起に対応している窪みを有するように形成されていることを特徴とするプラスチック製パレットを提供する。【選択図】図１
0003172850.tif 000002
【実用新案登録請求の範囲】
【請求項１】
互いに間をあけて上下に平行に対面しているデッキ板と支持板とを備えて扁平状に形成された中空パレットにおいて、
前記支持板の下面に、互いに離間して該支持板の下面と交差する複数の支持部がそれぞれ下方に突出すると共に、各前記支持部の上面において前記突起に対応している窪みを有するように形成されており、
前記デッキ板の各前記支持部と上下に対応している部分には、複数の第１の支持柱が、それぞれ前記デッキ板の下面から対応している支持部の窪みの上面に当接するまで突出すると共に、前記デッキ板の上面において前記突起に対応している窪みを有するように形成されていることを特徴とするプラスチック製パレット。
【請求項２】
各前記支持部の下端には、複数の係止用突起が所定のパターンになるように形成されており、
前記デッキ板の上面における各前記係止用突起とそれぞれ上下に対応している部分には係止用窪みが、対応している係止用突起をちょうど嵌め込める形状に形成されていることを特徴とする請求項１に記載のプラスチック製パレット。
【請求項３】
各前記係止用窪みには、それぞれ少なくとも１つの前記第１の支持柱が設けられていることを特徴とする請求項２に記載のプラスチック製パレット。
【請求項４】
前記支持板における各前記支持部同士間の部分は跨部として、前記デッキ板と間隔をあけるように配置形成されており、
更に、前記デッキ板における各前記跨部とそれぞれ上下に対応している部分には、平面部と、複数の第２の支持柱と、が設けられており、
各前記第２の支持柱は、それぞれ前記デッキ板の下面から前記跨部の上面に当接するまで突出すると共に、前記デッキ板の上面において前記突起に対応している窪みを有するように形成されていることを特徴とする請求項１〜請求項３のいずれか一項に記載のプラスチック製パレット。
【請求項５】
前記支持板の、前記デッキ板における平面部と上下に対応している部分には、複数の第３の支持柱が設けられており、
各前記第３の支持柱は、それぞれ前記支持板の上面から前記平面部の下面に当接するまで突出すると共に、前記支持板の下面において前記突起に対応している窪みを有するように形成されていることを特徴とする請求項４に記載のプラスチック製パレット。
【請求項６】
各前記複数の第３の支持柱の少なくとも一部は、支持板の下面において略十字形の開口を形成することを特徴とする請求項５に記載のプラスチック製パレット。
【請求項７】
各前記複数の第３の支持柱の少なくとも一部は、前記支持板の下面において長方形の開口を形成することを特徴とする請求項５または請求項６に記載のプラスチック製パレット。
【考案の詳細な説明】
【技術分野】
【０００１】
本考案は、プラスチック製パレットに関し、特に、軽量のまま強度が高められたプラスチック製パレットに関する。
【背景技術】
【０００２】
プラスチック製パレットは、軽量である上、着色性や耐水性も良い。
【０００３】
図７は、従来のプラスチック製パレットの一例の斜視図である。図示のように、該従来のパレットは、荷物を載置するデッキ１０の下面に、複数列に並んでいると共に、所定間隔をおいて突設されている複数の支持ブロック１１がある。
【０００４】
このような従来のプラスチック製パレットは、使用時に、全ての支持ブロック１１を介して荷重を地面や架台に分散させるので、荷物を均一且つ安定して載置することができる。
【考案の概要】
【考案が解決しようとする課題】
【０００５】
しかしながら、このような従来のプラスチック製パレットは、デッキ１０や複数の支持ブロック１１が中実体である場合、重量が重い上、コストもかなり高い、という欠点があり、それに反し、中空体である場合、もちろんコストを減らすことができるが、構成がもろくなり、特に実際に荷重を受ける複数の支持ブロック１１が変形したり崩れたりしやすく、使用荷重が小さくなる、という欠点が出てくる。
【０００６】
本考案は、前記問題点に鑑みてなされたもので、中空の基本構成を有するが、丈夫で、使用荷重が中実構成を有するものに近いプラスチック製パレットの提供を目的とする。
【課題を解決するための手段】
【０００７】
上記目的を達成すべく、本考案は互いに間をあけて上下に平行に対面しているデッキ板と支持板とを備えて扁平状に形成された中空パレットにおいて、前記支持板の下面には、互いに離間して該支持板の下面と交差する複数の支持部がそれぞれ下方に突出すると共に、各前記支持部の上面において前記突起に対応している窪みを有するように形成されており、前記デッキ板の各前記支持部と上下に対応している部分には、複数の第１の支持柱が、それぞれ前記デッキ板の下面から対応している支持部の窪みの上面に当接するまで突出すると共に、前記デッキ板の上面において前記突起に対応している窪みを有するように形成されていることを特徴とするプラスチック製パレットを提供する。
【０００８】
上記プラスチック製パレットにおいて、各前記支持部の下端には、複数の係止用突起が所定のパターンになるように形成されており、前記デッキ板の上面における各前記係止用突起とそれぞれ上下に対応している部分の係止用窪みが、対応している係止用突起をちょうど嵌め込める形状に形成されていることが好ましい。
【０００９】
上記プラスチック製パレットにおいて、各前記係止用窪みには、それぞれ少なくとも１つの前記第１の支持柱が設けられていることが好ましい。
【００１０】
上記プラスチック製パレットにおいて、前記支持板における各前記支持部同士間の部分は跨部として、前記デッキ板と間隔をあけるように配置形成されており、更に、前記デッキ板における各前記跨部とそれぞれ上下に対応している部分には、平面部と、複数の第２の支持柱と、が設けられており、各前記第２の支持柱は、それぞれ前記デッキ板の下面から前記跨部の上面に当接するまで突出すると共に、前記デッキ板の上面において前記突起に対応している窪みを有するように形成されていることが好ましい。
【００１１】
上記プラスチック製パレットにおいて、前記支持板の、前記デッキ板における平面部と上下に対応している部分には、複数の第３の支持柱が設けられており、各前記第３の支持柱は、それぞれ前記支持板の上面から前記平面部の下面に当接するまで突出すると共に、前記支持板の下面において前記突起に対応している窪みを有するように形成されていることが好ましい。
【００１２】
上記プラスチック製パレットにおいて、各前記複数の第３の支持柱の少なくとも一部は、支持板の下面において略十字形の開口を形成するように構成されることができる。
【００１３】
上記プラスチック製パレットにおいて、各前記複数の第３の支持柱の少なくとも一部は、支持板の下面において長方形の開口を形成するように構成されることができる。
【考案の効果】
【００１４】
上記構成により、本考案のプラスチック製パレットは、中空の基本構成を有するが、荷重を受けて接地する各支持部の中空部に上下に延伸していて荷重を分散する第１の支持柱が設置構成されているので、構成が強固になり、使用荷重を通常の中空構成が有するものより遥かに大きくすることができる。
【００１５】
また、本考案のプラスチック製パレットは、第１の支持柱の他に、第２ないし第３の支持柱が設置構成されれば、使用荷重が更に大きくなる。
【図面の簡単な説明】
【００１６】
【図１】本考案の第１の実施形態の斜視図である。
【図２】本考案の第１の実施形態の上面図である。
【図３】図２におけるＩＩＩ−ＩＩＩ線に沿って切った断面図である。
【図４】本考案の第２の実施形態の下面図である。
【図５】重なっている２つのパレットにおいて、図４におけるＶ−Ｖ線に沿って切った断面が示されている断面図である。
【図６】図４におけるＶＩ−ＶＩ線に沿って切った断面図である。
【図７】従来のプラスチック製パレットの一例の斜視図である。
【考案を実施するための形態】
【００１７】
以下は各図面を参照しながら、本考案のプラスチック製パレットの各好ましい実施形態について説明する。
【００１８】
図１〜図３では、本考案の第１の実施形態が示されており、図１はその斜視図であり、図２はその上面が示されている上面図であり、図３は図２におけるＩＩＩ−ＩＩＩ線に沿って切った断面図である。
【００１９】
図示のように、本考案のプラスチック製パレット１は、中空構成を有するものであり、より詳しくは、互いに間をあけて上下に平行に対面しているデッキ板３と、支持板２と、を備えて扁平状の中空体に形成されたものである。デッキ板３は、上面で荷物を受けるものであり、支持板２は、下からデッキ板３を支持しながら、デッキ板３の上面で受ける荷物の荷重を地面や架台に分散させるものである。
【００２０】
支持板２の下面には、互いに平行に離間して該支持板２の下面と交差する複数の支持部２２がそれぞれ下方に突出すると共に、各支持部２２の上面において前記突起に対応している窪みを有するように形成されている。この複数の支持部２２は、デッキ板３から荷重を受けて地面や架台に分散させる手段であり、図７における従来のプラスチック製パレットの支持ブロック１１に相当する。
【００２１】
また、各支持部２２の下端には、複数の係止用突起２２２が所定のパターンになるように形成されており、そして隣り合っている２つの係止用突起２２２の間には凹部２２１が形成され、更に、各支持部２２の側面には側面溝２２３が形成されている。
【００２２】
デッキ板３の各支持部２２と上下に対応している部分には、複数の第１の支持柱４が形成されている。各第１の支持柱４は、それぞれデッキ板３の下面から対応している支持部２２の窪みの上面に当接するまで下方へ延伸して突出すると共に、デッキ板３の上面において前記突起に対応している窪みを有するように形成されているので、デッキ板３から支持板２の各支持部２２の窪み内へ延伸する環状の壁部４１と、壁部４１の先端を封止するように形成され、且つ支持部２２の窪みの上面に当接している端部４０と、を有している。即ち、各支持部２２は、第１の支持柱４と共にデッキ板３から荷重を受けることができるので、従来の中空支持ブロックよりも高い重量を支持することが可能である。
【００２３】
デッキ板３の上面における各係止用突起２２２とそれぞれ上下に対応している部分には、係止用窪み３２が形成されている。各係止用窪み３２は、それぞれ対応している係止用突起２２２をちょうど嵌め込める形状に形成されている。この構成により、本考案のプラスチック製パレット１は、係止用窪み３２を用いてデッキ板３の上面に置かれる同じ構成を有する他のプラスチック製パレット１の係止用突起２２２を受け入れて係止することができるので、大量のプラスチック製パレット１を収納する時に必要なスペースを減らすことができると共に、上方に置かれるプラスチック製パレット１がその下方にあるプラスチック製パレット１から滑り落ちることを防止することができる。
【００２４】
この実施形態において、１つのプラスチック製パレット１は、３つの支持部２２が形成されており、各支持部２２には５つの係止用突起２２２が並んでいる。したがって、デッキ板３の上面における各係止用窪み３２も３つの支持部２２に対応して３列に並んでいる。また、隣り合っている２つの係止用窪み３２の間にある凹部２２１と上下に対応する部分には、支持部２２の延伸方向と直交するように延伸する間隔リブ３３が形成されている。
【００２５】
更に、各係止用窪み３２の周縁には、複数の補強窪み３４３が形成されている。
【００２６】
両側の列にある各係止用窪み３２には、それぞれ１つの第１の支持柱４が設けられており、中央の列にある各係止用窪み３２には、それぞれ１つまたは２つの第１の支持柱４が交互に設けられている。両側の列にある第１の支持柱４は円柱形、または逆切頭円錐形に形成されており、中央の列にある第１の支持柱４はダンベル状の中空柱に形成されている。
【００２７】
支持板２における各支持部２２同士間の部分は跨部２１として、デッキ板３と間隔をあけるように配置形成されており、更に、デッキ板３における各跨部２１とそれぞれ上下に対応している部分には、プラスチック製パレット１の支持面として形成される平面部３１２と、複数の第２の支持柱４２と、が設けられている。
【００２８】
各第２の支持柱４２は、それぞれデッキ板３の下面から対応している跨部２１の上面に当接するまで下方へ延伸して突出すると共に、デッキ板３の上面において前記突起に対応している窪みを有するように、円柱形、または逆切頭円錐形に形成されている。ちなみに、この実施形態において、サイズがそれぞれ異なる３種類の各第２の支持柱４２が形成されている。
【００２９】
図４〜図６では本考案の第２の実施形態が示されており、図４はその下面が示されている下面図であり、図５は図４におけるＶ−Ｖ線に沿って切った断面図であると共に２つのパレットが重なって示されており、図６は図４におけるＶＩ−ＶＩ線に沿って切った断面図である。
【００３０】
図示のように、本考案の第２の実施形態は、第１の実施形態と類似の構成になっているが、各支持部２２の下端の係止用突起２２２のパターンが第１の実施形態と異なるほか、支持板２のデッキ板３における平面部３１２と上下に対応している部分には、更に複数の第３の支持柱５と複数の第４の支持柱６とが設けられている。
【００３１】
各第３の支持柱５は、それぞれ支持板２の上面から平面部３１２の下面に当接するまで突出すると共に、支持板２の下面において前記突起に対応している窪みを有するように形成されている。
【００３２】
この第２の実施形態において、第３の支持柱５の平面部３１２への突起は、平面部３１２に接触しない第１の段部５０１と、第１の段部５０１の先端から更に延伸し、先端が平面部３１２に当接している複数の第２の段部５０２と、を有している。支持板２の下面において形成される窪みも対応する形状になっているが、各第２の段部５０２は、それぞれ切頭円錐形に形成されている。
【００３３】
また、この第２の実施形態において、形状が異なる２種類の第３の支持柱５があり、第１種類の第３の支持柱５１は、その第１の段部５０１で支持板２の下面において略十字形の開口を形成しており、第２種類の第３の支持柱５２は、その第１の段部５０１で支持板２の下面において長方形の開口を形成している。
【００３４】
第１種類の第３の支持柱５１は、隣り合っている２つの支持部２２の間に配置され、平面部３１２や跨部２１の強度を高めてデッキ板３に対する荷重が不均一である時などに起こりやすい平面部３１２や跨部２１の変形を防ぐことができる。
【００３５】
第２種類の第３の支持柱５２は、支持部２２の延伸方向と直交するように延伸すると共に、隣り合っている２つの支持部２２を繋ぐように、または跨ぐように並んでおり、第１種類の第３の支持柱５１と同じく平面部３１２や跨部２１の強度を高めることができる。
【００３６】
各第４の支持柱６は、支持板２の第２の支持柱４２と対応する位置において、支持板２の上面から第２の支持柱４２の先端に当接するまで突出すると共に、支持板２の下面において前記突起に対応している窪みを有するように形成されている。
【産業上の利用可能性】
【００３７】
上記構成により、本考案のプラスチック製パレットは、中空の基本構成を有するが、荷重を受けて接地する各支持部の中空部に上下に延伸していて荷重を分散する第１の支持柱が設置構成されているので、構成が強固になり、使用荷重を通常の中空構成を有するものより遥かに大きくすることができる。
【００３８】
また、本考案のプラスチック製パレットは、第１の支持柱の他に、第２ないし第３の支持柱が設置構成されれば、使用荷重が更に大きくなる。
【符号の説明】
【００３９】
１  プラスチック製パレット
１０  デッキ
１１  支持ブロック
２  支持板
２１  跨部
２２  支持部
２２１  凹部
２２２  係止用突起
２２３  側面溝
３  デッキ板
３１２  平面部
３２  係止用窪み
３３  間隔リブ
３４３  補強窪み
４  第１の支持柱
４０  端部
４１  壁部
４２  第２の支持柱
５  第３の支持柱
５０１  第１の段部
５０２  第２の段部
５１  第１種類の第３の支持柱
５２  第２種類の第３の支持柱
６  第４の支持柱
【図１】
0003172850.tif 000003
【図２】
0003172850.tif 000004
【図３】
0003172850.tif 000005
【図４】
0003172850.tif 000006
【図５】
0003172850.tif 000007
【図６】
0003172850.tif 000008
【図７】
0003172850.tif 000009